(57)【特許請求の範囲】
【請求項１】
内部に所定の収納領域が形成されたケース本体と、このケース本体に装着されて当該ケース本体の外側に別途の収納領域を形成するポケット形成部材とを備え、
前記ポケット形成部材はケース本体との間に形成される収納幅を調整可能に設けられ、
前記ケース本体とポケット形成部材との間に、当該ポケット形成部材による収納幅調整方向に沿うクリック機構が設けられていることを特徴とする収納ケース。
【請求項２】
底面部の前後に連なる正面部及び背面部と、これら正面部及び背面部の左右両端間に位置する一対の側面部とを含んで内部に所定の収納領域が形成されたケース本体と、前記背面部側に装着されてケース本体の外側に別途の収納領域を形成するポケット形成部材とを備え、
前記ポケット形成部材は背面部との間に形成される収納幅を調整可能に設けられ、
前記ケース本体とポケット形成部材との間に、当該ポケット形成部材による収納幅調整方向に沿うクリック機構が設けられていることを特徴とする収納ケース。
【請求項３】
前記ポケット形成部材は、前記ケース本体の背面部と略平行に位置する外側背面部と、この外側背面部の左右両縁及び下縁に連なって前記ケース本体の側面部及び底面部に沿う左右一対のポケット側面及びポケット底面を備え、これらポケット側面及びポケット底面を前記側面部と底面部に相対移動させることで前記収納幅が調整可能に設けられていることを特徴とする請求項２記載の収納ケース。
【請求項４】
前記ケース本体及びポケット形成部材との間に、当該ポケット形成部材の収納幅調整を可能とするガイド手段が設けられていることを特徴とする請求項１，２又は３記載の収納ケース。
【請求項５】
前記ガイド手段は、前記ケース本体側に設けられた軸部材と、ポケット形成部材に設けられて前記軸部材が貫通するスロット穴とにより構成され、当該スロット穴はポケット形成部材による収納幅調整方向に沿って延びる略楕円形状に設けられていることを特徴とする請求項４記載の収納ケース。
【請求項６】
前記クリック機構は複数箇所に設けられ、少なくとも一部のクリック機構の近傍に、当該クリック機構の動作をスムースに行わせるための変形代が設けられていることを特徴とする請求項１ないし５の何れかに記載の収納ケース。
【請求項７】
前記ポケット形成部材の開放口形成領域には、定型性付与部材が設けられていることを特徴とする請求項１ないし６の何れかに記載の収納ケース。
【請求項８】
前記ポケット形成部材の開放口形成領域には、直線状に延びるモールが装着されていることを特徴とする請求項１ないし６の何れかに記載の収納ケース。
【請求項９】
前記モールは、ポケットの底部側に開放する二股状の挟持部を備え、この挟持部の相対面には前記開放口形成領域に引っ掛け可能な脱落防止部が形成されていることを特徴とする請求項８記載の収納ケース。
【請求項１０】
前記脱落防止部はポケット形成部材の面内を切り起こして形成された切り起こし片により構成され、前記挟持部の内面側には前記切り起こし片の外縁に引っ掛け可能なフック部が形成されていることを特徴とする請求項９記載の収納ケース。
【発明の詳細な説明】
【０００１】
【発明の属する技術分野】
本発明は収納ケースに係り、更に詳しくは、内部に所定の収納領域を備えたケース本体の外側に、収納幅若しくは収納隙間を調整することのできる別途の収納領域を形成した収納ケースに関する。
【０００２】
【従来の技術】
従来より、書類等を収納して持ち運ぶことに適した各種の収納ケースが知られており、当該収納ケースの一種としてケースファイルが存在する。このケースファイルは、例えば、ポリプロピレン等の樹脂製シートを用いて形成されており、比較的扁平な箱状の外形に設けられ、上端の開放部をフラップ状の蓋によって開閉可能に設けられた構成が採用されている。
【０００３】
【発明が解決しようとする課題】
しかしながら、このようなケースファイルにあっては、内部に書類を入れた場合に、蓋を開けない限り内部の書類を取り出すことはできない。従って、蓋を開閉することなくケースファイルの外側で書類を単に挿抜するようにして当該書類を出し入れできる別領域となるポケットが存在すれば、使い勝手が格段に改善されることとなる。
【０００４】
このようなポケットは手提げ鞄等に既に採用されているが、同ポケットは、収納幅が小さく且つ一定であるため、厚みのある書類の出し入れが困難である。従って、厚みのある書類を出し入れすると、ポケットの開放口に拡がり癖がついてしまう傾向が強く、ポケットに何も収納しない場合でも当該ポケットの開放口が拡がったままの状態となってしまい、元の位置に復帰することができなくなるという不都合がある。
【０００５】
【発明の目的】
本発明は、このような不都合に着目して案出されたものであり、その目的は、ポケットの収納幅が、収納対象物の厚さ若しくは大きさに対応して調整することのできる収納ケースを提供することにある。
【０００６】
【課題を解決するための手段】
前記目的を達成するため、本発明に係る収納ケースは、内部に所定の収納領域が形成されたケース本体と、このケース本体に装着されて当該ケース本体の外側に別途の収納領域を形成するポケット形成部材とを備え、
前記ポケット形成部材はケース本体との間に形成される収納幅を調整可能に設けられ、
前記ケース本体とポケット形成部材との間に、当該ポケット形成部材による収納幅調整方向に沿うクリック機構が設けられる、という構成を採っている。具体的には、底面部の前後に連なる正面部及び背面部と、これら正面部及び背面部の左右両端間に位置する一対の側面部とを含んで内部に所定の収納領域が形成されたケース本体と、前記背面部側に装着されてケース本体の外側に別途の収納領域を形成するポケット形成部材とを備え、
前記ポケット形成部材は背面部との間に形成される収納幅を調整可能に設けられ、
前記ケース本体とポケット形成部材との間に、当該ポケット形成部材による収納幅調整方向に沿うクリック機構が設けられる、という構成を採ることができる。このような構成とすれば、書類等を極めて簡便な手法によって出し入れできるようになる他、当該書類の厚みに応じて収納幅を調整することで、ポケット形成部材における開放口側の拡がり癖等を防止することが可能となる。また、ポケット形成部材の位置を安定して保つことができる。従って、例えば、ポケット形成部材がケース本体に対して不用意に動いてしまうような虞を防止することができる。
【０００７】
【発明の実施の形態】
本発明におけるポケット形成部材は、前記ケース本体の背面部と略平行に位置する外側背面部と、この外側背面部の左右両縁及び下縁に連なって前記ケース本体の側面部及び底面部に沿う左右一対のポケット側面及びポケット底面を備え、これらポケット側面及びポケット底面を前記側面部と底面部に相対移動させることで前記収納幅が調整可能に設けられる、という構成を採ることが好ましい。これにより、前記側面部及び底面部がガイド面として作用し、収納幅を調整する際のポケット形成部材の移動が安定した状態でスムースに行えるようになる。
【０００８】
また、前記ケース本体及びポケット形成部材との間に、当該ポケット形成部材の収納幅調整を可能とするガイド手段が設けられる、という構成を採用するとよく、当該ガイド手段は、前記ケース本体側に設けられた軸部材と、ポケット形成部材に設けられて前記軸部材が貫通するスロット穴とにより構成され、当該スロット穴はポケット形成部材による収納幅調整方向に沿って延びる略楕円形状に設けられる、という構成を採用することができる。このような構成により、ポケット形成部材を収納幅調整方向に移動させるときの当該移動軌跡を一定に保つことができ、また、ポケット形成部材による収納幅調整がスロット穴の長さによって規制できるため、ポケット形成部材がケース本体から外れてしまうこともない。
【００１０】
更に、前記クリック機構は複数箇所に設けられ、少なくとも一部のクリック機構の近傍に、当該クリック機構の動作をスムースに行わせるための変形代を設ける、という構成も採用されている。このような構成により、スムースなるクリック動作をもとより達成できる他、クリック動作を生ずる部分の摩滅等を防止することができる。
【００１１】
また、前記ポケット形成部材の開放口形成領域には、定型性付与部材が設けられる、という構成を採るとよい。この定型性付与部材としては、直線状に延びるモールを採用することが好ましく、当該モールは、ポケットの底部側に開放する二股状の挟持部を備え、この挟持部の相対面には前記開放口形成領域に引っ掛け可能な脱落防止部を備えたものを用いるとよい。このような構成とすれば、ポケット形成部材を構成するシートが延びたりする虞が回避されてポケットの開放口領域の形状が常に一定に保たれ、書類等の頻繁な出し入れによって前記開放口に開き癖が残るような不都合も確実に防止することができる。なお、脱落防止部はポケット形成部材の面内を切り起こして形成された切り起こし片により構成され、前記挟持部の内面側には前記切り起こし片の外縁に引っ掛け可能なフック部が形成される、という構成を採るとよい。これにより、脱落防止部を極めて簡単な構成によって形成することができる。
【００１２】
なお、本明細書において、「上」とは、以下に説明するケースファイルの出し入れ口側について用いられ、「下」とは、その反対側すなわち底部側について用いられる。また、「収納幅」とは、ケースファイルの背面部の面に直交する方向に沿う隙間の幅を意味し、「左右」とは、同ケースファイルの側面部間を結ぶ方向の両側について用いられる。
【００１３】
【実施例】
以下、本発明の実施例を図面を参照しながら説明する。
【００１４】
図１には、本発明がケースファイルに適用された実施例を正面側から見た概略斜視図が示され、図２及び図３にはケースファイルを背面側から見た概略斜視図が示されている。これらの図において、ケースファイル１０は、ケース本体１１と、当該ケース本体１１の背面側に装着されるとともに、ケース本体１１内の収納領域とは別途の収納領域となるポケットＰを形成するポケット形成部材１２とを備えて構成されている。
【００１５】
前記ケース本体１１は、全体がポリプロピレン等の樹脂製シートを用いて形成されている。このケース本体１１は、図４に示されるように、正面側部材１５と、当該正面側部材１５に組み合わされる背面側部材１６と、これら正面側部材１５と背面側部材１６の左右両端側に装着されるサイドパネル１７とにより構成されている。
【００１６】
正面側部材１５は、上下方向長さ若しくは高さに対して左右方向長さ若しくは高さが大きく設けられた正面部２０と、この正面部２０の左右両端縁に連なる左右一対の正面側側面部２１，２１と、正面部２０の下端縁に連なる正面側底面部２２とからなる。正面部２０の上端は、凹状の切欠部２４が形成されているとともに、切欠部２４の中央部下方位置に止め具取付穴２５が形成されている。また、正面側側面部２１，２１には、上下方向に沿う四箇所に連結穴２７が形成されているとともに、上二つの連結穴２７，２７間において正面部２０寄りの位置に一個の軸挿入穴２８が形成されている。更に、正面側底面部２２には、左右方向に沿う三箇所に連結穴２９が形成されているとともに、左右両端側に角穴３０が各二個ずつ形成されている。
【００１７】
前記背面側部材１６は、前記正面部２０と略平行に配置されて当該正面部２０との間に所定の収納領域を形成する背面部３１と、この背面部３１の左右両端縁に連なるとともに正面側側面部２１と相互に作用してケース本体１１の側面部を構成する左右一対の背面側側面部３３，３３と、背面部３１の下縁に連なるとともに正面側底面部２２と相互に作用してケース本体１１の底面部を構成する背面側底面部３４と、背面部３１の上端縁に連なってケース本体１１の出し入れ口３６を開閉する片状フラップからなる蓋３５とを備えて構成されている。背面側側面部３３及び背面側底面部３４の各面内には、正面側部材１５の連結穴２７，２９に対応する連結穴３７，３８がそれぞれ形成されているとともに、背面側側面部３３の上部一箇所に正面側部材１５の軸挿入穴２８に対応する軸挿入穴４０が形成されている。なお、背面側底面部３４における連結穴３８は、正面側底面部２２の連結穴２９に一致する位置で、中間に後述するポケット底面を介在させた状態で上下二分割型のリベット部材３９によって分離不能に一体化されるようになっている（図１２及び図１３参照）。
【００１８】
前記正面側部材１５と背面側部材１６の左右両端側に装着される左右一対のサイドパネル１７は、図９ないし図１１にも示されるように、上下方向に長い略長方形状の本体面４２と、この本体面４２の上端及び下端に連なって当該本体面４２の面と略直交する上片４３及び下片４４と、これら上片４３及び下片４４の短寸幅方向一端部すなわち図９中右側の端部間を相互に連結する前鉛直片４５と、この前鉛直片４５の反対側に設けられた後鉛直片４６と、本体面４２の面内に設けられて正面側部材１５及び背面側部材１６の各連結穴２７，３７に挿入される四個の軸部材４９と、前記軸挿入穴２８，４０に挿入される筒軸５０とを備えて構成されている。
【００１９】
サイドパネル１７は、本実施例では、樹脂成形品が用いられ、容易に変形することのない堅さを備えてケース本体１１の側面部形状を一定に保つようになっている。このサイドパネル１７における上片４３は、正面側側面部２１を背面側側面部３３の内面側に重ね合わせた状態で、これら各側面部２１，３３の上端を受容するフック部４３Ａを設けている一方、下片４４には、正面側底面部２２に形成された角穴３０に受容される突起５２が形成されている。
【００２０】
前記軸部材４９は、軸中心を通過する割溝５３が形成された形状をなし、図９中上方より第一番目と第三番目の軸部材４９の割溝５３は上下方向に沿って設けられている一方、第二番目と第四番目の軸部材４９の割溝５３はサイドパネル１７の短寸幅方向に沿って設けられている。また、各軸部材４９は、図１０に示されるように、基部軸４９Ａと、これに連なる小径軸４９Ｂと、この小径軸４９Ｂの先端側で周方向に沿って断続的に設けられた爪４９Ｃとを備えた形状に設けられ、軸部材４９を連結穴２７，３７に挿入したときに、正面側側面部２１及び背面側側面部３３が基部軸４９Ａと爪４９Ｃとの間の小径軸４９Ｂ回りに脱落不能に位置するようになっている。
【００２１】
前記ポケット形成部材１２は、ポリプロピレン等からなる樹脂製のシートにより形成されている。このポケット形成部材１２は、図２ないし図４に示されるように、背面側部材１６の背面部３１の外側に沿う平面形状を備えた外側背面部６０と、この外側背面部６０の左右両縁及び下縁に連なってケース本体１１の側面部及び底面部に沿うとともに、例えば、蛇腹のようには変形することのない面形状を備えた左右一対のポケット側面６１及びポケット底面６３と、外側背面部６０の上端縁に装着されて開放口を形成するとともに、当該上端縁領域の定型性を保持するモール６５とを備えて構成されている。
【００２２】
前記外側背面部６０の上端縁領域すなわち開放口形成領域には、上端縁に沿って所定間隔を隔てた三箇所に切り起こし片６０Ａが形成され、この切り起こし片６０Ａを利用してモール６５が上方へ脱落不能に装着されている。これを更に詳述すると、図５ないし図８に示されるように、切り起こし片６０Ａは、上向きコ字状にスリット６０Ｂを形成することで形成されており、当該切り起こし片６０Ａの上部側を基部として下部側が外側背面部６０の面に対して外側に所定角度傾いた姿勢に設けられている。この一方、モール６５は、開放口の上端を縁取る直線状部６５Ａと、この直線状部６５Ａの下面側略中央部に位置する中間部６５Ｂと、この中間部６５Ｂの下端から二股状に分岐するとともに、下端側が次第に接近する湾曲型をなす一対の挟持部６５Ｃ,６５Ｃとにより構成されている。挟持部６５Ｃ,６５Ｃの下部相対面には、前記切り起こし片６０Ａと相互に作用して脱落防止部を構成する鈎状のフック部６５Ｄ,６５Ｄが形成されており、一方のフック部６５Ｄが切り起し片６０Ａの下端縁に引っ掛かるようになっている。従って、モール６５を外側背面部６０の上端縁側から下方に押し込むことで、挟持部６５Ｃ,６５Ｃ間に外側背面部６０の開放口形成領域を嵌め込み可能となり、これにより、ポケット形成部材１２における開放口形成領域の定型性が維持できるようになっている。
【００２３】
前記ポケット側面６１には、その面内の上下方向三箇所に設けられるとともに、前述した軸部材４９と相互に作用してガイド手段を構成するスロット穴６６と、中段のスロット穴６６を除く上下各段のスロット穴６６の直下に併設されたスリット状の変形代６７と、図４中ケース本体１１側となる端縁の上部に形成された開放切欠部６８とを備えた形状に設けられている。
【００２４】
前記スロット穴６６は、サイドパネル１７に設けられた軸部材４９の基部軸４９Ａを貫通させることのできる大きさに設けられているとともに、ポケット形成部材１２による収納幅を調整する方向、すなわち、ポケット側面６１の短寸幅方向に沿う方向を長軸とする略楕円形状に設けられている。
【００２５】
ポケット側面６１は、図１１に示されるように、前記正面側側面部２１とサイドパネル１７との間に位置するように組み立てられ、前記スロット穴６６の長軸方向（図１１中紙面直交方向）に沿って軸部材４９との相対移動でポケットＰの収納幅が調整されるようになっている。また、図１４に示されるように、上段及び下段のスロット穴６６の各下縁部分には、クリック機構を構成する平面視略半円弧状の突片６６Ａが設けられている。この突片６６Ａは、スロット穴６６の短軸方向幅Ｗを部分的に狭くする幅Ｗ１を形成する。この際、幅Ｗ１は、前記軸部材４９の基部軸４９Ａの径よりも小さい幅となるように設定されている。従って、収納幅の調整に当たり、ポケット形成部材１２に強制的な外力を付与しない限り、軸部材４９は、突片６６Ａを左右方向に乗り越えることはない。この一方、外力を付与した場合には、前述したスリット状の変形代６７のスリット幅が狭まるように変形することで、突片６６Ａ領域の幅Ｗ１が一時的に拡大されて軸部材４９の乗り越えが許容されることとなる。なお、上段のスロット穴６６に設けられた突片６６Ａは、下段のスロット穴６６に設けられた突片６６Ａよりも、図１４中右側に位置するよう設けられている。これは、ポケット形成部材１２を引き出して収納幅を最大とする位置にしたときに、当該位置を保つように突片６６Ａが軸部材４９の外周部分に接触するようにするためである。
【００２６】
また、前記ポケット底面６３の面内において、左右方向に沿う三箇所にはガイド手段を構成するスロット穴６９が設けられている。これらのスロット穴６９は、ポケット側面６１のスロット穴６６と同様に、ポケット底面６３の短寸幅方向に沿って延びる略楕円形状に設けられているとともに、ケース本体１１における連結穴２９，３８間に位置して、前述した二分割型のリベット３９が貫通するようになっている。
【００２７】
前記開放切欠部６８はサイドパネル１７の筒軸５０を受容するものであり、当該開放切欠部６８の開放端の幅は筒軸５０の径よりも大きく設けられている。この一方、開放切欠部６８の中間には、クリック機構を構成する上下一対の絞り片７０，７０が設けられており、これら絞り片７０間の隙間幅は、筒軸５０の径よりも小さく設けられている。そのため、筒軸５０が絞り片７０と、開放切欠部６８の底部との間に位置したときに、ポケット形成部材１２が背面側部材１６の背面部３１に略接する最小の収納幅位置に保たれることとなる。
【００２８】
なお、図１中符号７５は収納ケース１０の把持部を示し、７６は蓋３５を閉塞位置に保つためのバックルを示す。
【００２９】
次に、前記ケースファイルにおけるポケットＰの収納幅調整方法について、図１２ないし図１７を参照しながら説明する。なお、図１４ないし図１７では、図面の錯綜を回避して理解を容易とするために、正面側部材１５及び背面側部材１６が省略されている。
【００３０】
ポケットＰの収納幅が最小となっている状態、すなわち、ポケット形成部材１２の内面側が背面側部材１６の背面部３１に略接触する状態では、図１４に示されるように、ポケット側面６１の開放切欠部６８の底部と絞り片７０との間に筒軸５０が位置して相互位置が保たれるとともに、スロット穴６６の図１４中左側に軸部材４９が位置することとなる。ここで、下段のスロット穴６６の突片６６Ａは、軸部材４９の基部軸４９Ａの外周部分に接する位置となり、ポケット形成部材１２を引き出す外力を付与しない限り、同位置に静止した状態に保たれる。この一方、ポケット底面６３側は、図１１２に示されるように、スロット穴６９の長軸方向一端側に位置することとなる。
【００３１】
前記収納幅を拡大すべくポケット形成部材１２のモール６５に指先を掛けて引き操作すると、ポケット形成部材１２の上部側が回転し、図１５に示されるように、開放切欠部６８から筒軸５０が抜け出ることとなる。この際、筒軸５０が絞り片７０を強制的に乗り越えてクリック動作を生ずることとなる。そして、更に引き操作を続けると、上段の軸部材４９がクリック動作を伴ってスロット穴６６の突片６６Ａを乗り越えてポケットＰの最大収納幅に対応する位置まで移動する（図１６参照）。軸部材４９が上段の突片６６Ａを乗り越える際には、これに併設されている変形代６７のスリット幅が狭められるように変形するため、つまり、クリック機構の動作がスムースに行われるため、突片６６Ａの摩滅が効果的に回避される。なお、突片６６Ａを乗り越える軸部材４９は割溝５３が上下方向向きでないため、突片６６Ａは割溝５３に干渉することなく基部軸４９Ａの外周に接触するだけとなり、軸部材４９が突片６６Ａを乗り越えるときに割溝５３に突片６６Ａが引っ掛かることはない。
【００３２】
ポケット形成部材１２の上部が収納幅を拡大する位置に移動して開放側が開いた後に、当該開放側から手の平を差し込んでポケット形成部材１２の下部を引き出す方向に力を付与すればよい。これにより、下段のスロット穴６６における突片６６Ａを軸部材４９がクリック動作を伴って乗り越え、図１７に示されるように、スロット穴６６の右側領域まで軸部材４９が相対移動することとなる。このとき、ポケット底面６３側も、リベット６９がスロット穴６９に対して初期の位置とは反対側に移動することとなる（図１３参照）。
【００３３】
このようにして、ポケット形成部材１２が収納幅を最大とする位置まで完全に移動した状態で、上段のスロット穴６６における突片６６Ａよりも右側に軸部材４９が位置することとなるため、ポケット形成部材１２を初期の位置に戻すような押し込み力を付与しない限り、拡大された収納幅が安定して保たれることとなり、常に、一定の収納幅となるポケットＰ内に書類等を挿抜することができる。
【００３４】
従って、このような実施例によれば、ポケットＰの収納幅が調整可能に設けられているため、収納すべき書類の厚みに応じて必要幅を選択することができ、厚みのある書類の無理な収納に伴う開放口の拡がり癖をなくすことができる。また、ポケット形成部材１２の開放口にモール６５を設けているため、この点からも拡がり癖を効果的に防止することができる。
【００３５】
なお、前記実施例では、本発明がケースファイル１０に適用された場合を示したが、本発明はこれに限定されるものではなく、ケース本体１１の外側に別途の収納領域を形成するポケットＰを備えた各種タイプの収納ケースに適用することができる。
【００３６】
また、前記実施例では、ケース本体１１を正面側部材１５と背面側部材１６との分割型としたが、これらは一体に形成されたものであってもよい。この場合、サイドパネル１７に類似したパネルを設ければよい。更に、ケース本体１１が一体型である場合には、サイドパネル１７を設けなくてもよく、前述した軸部材４９が別途に設けられていれば足りる。更に、前記実施例では、ポケット形成部材１２が最小の収納幅となる位置と、最大の収納幅となる位置との二段階調整タイプである場合を説明したが、それらの中間で位置規制可能な収納幅を設定することも可能である。この場合、突片６６Ａをスロット穴６６に複数設ければ足りる。
【００３７】
更に、前記実施例では、ポケット形成部材１２の背面側部材６０の開放口形成領域にモール６５を装着するに際し、背面側部材６０に切り起こし片６０Ａを設けた場合を図示、説明したが、本発明はこれに限定されるものではない。例えば、図１８ないし図２１に示されるように、背面側部材６０の開放口形成領域をシート二枚厚となるように下向きに折り返し片８０を設け、この折り返し片８０の下端にフック６５Ｄが引っ掛かるようにしてもよい。これによれば、背面側部材６０のシート厚が薄くても開放口形成領域が部分的にシートの二枚厚となり、モール６５による補強作用と相俟って一定の定型性を得ることができる。
【００３８】
【発明の効果】
以上説明したように、本発明によれば、ポケット形成部材がケース本体の背面部との間に形成される収納幅を調整可能に設けられているため、書類等を極めて簡便な手法によって出し入れできるようになるという効果を得る。また、書類の厚みに応じて収納幅を調整することで、ポケット形成部材における開放口側の拡がり癖等を防止することも可能となる。
【００３９】
また、ポケット形成部材を外側背面部と、この外側背面部に連なるポケット側面及びポケット底面とにより構成し、これらポケット側面及びポケット底面がケース本体の側面部と底面部に対して相対移動することで収納幅が調整可能に設けられているため、ケース本体の側面部及び底面部がポケット形成部材の収納幅調整時のガイド面として作用し、ポケット形成部材の移動を安定した状態でスムースに行うことができる。
【００４０】
更に、前記ケース本体及びポケット形成部材との間に設けられたガイド手段がケース本体側に設けられた軸部材と、ポケット形成部材に設けられて前記軸部材が貫通するスロット穴とにより構成され、このスロット穴がポケット形成部材による収納幅調整方向に沿って延びる略楕円形状に設けられる構成としたから、ポケット形成部材を収納幅調整方向に移動させるときの当該移動軌跡を一定に保つことができ、また、ポケット形成部材による収納幅調整がスロット穴の長さによって規制できるため、ポケット形成部材がケース本体から外れてしまうこともない。
【００４１】
また、前記ケース本体とポケット形成部材との間にクリック機構を設けた構成によれば、ポケット形成部材の位置を安定して保つことができる。従って、例えば、ポケット形成部材がケース本体に対して不用意に動いてしまうような虞を防止することができる。
【００４２】
更に、クリック機構の動作をスムースに行わせるための変形代を設けた構成によれば、クリック動作を生ずる部分の摩滅等を防止することができる。
【００４３】
また、前記ポケット形成部材の開放口形成領域に定型性付与部材として直線状に延びるモールを採用し、当該モールがポケットの底部側に開放する二股状の挟持部を備えているとともに、当該挟持部の相対面に開放口形成領域に引っ掛け可能な脱落防止部を備えた構成を採用した場合には、ポケット形成部材を構成するシートが延びたりする虞が回避されてポケットの開放口領域の形状が常に一定に保たれることとなる。従って、ポケットに対して書類等の頻繁な出し入れを行っても、前記開放口に開き癖が残るような不都合も確実に防止することができる。
なお、脱落防止部を切り起こし片により構成し、挟持部の内面側にフック部を設けて当該フック部が切り起こし片の外縁に引っ掛け可能とした構成では、脱落防止部を極めて簡単な構成によって形成することができる。
【図面の簡単な説明】
【図１】本発明がケースファイルに適用された実施例を示す正面側の概略斜視図。
【図２】前記ケースファイルを背面側から見た概略斜視図。
【図３】蓋を若干開いた状態を示す図２と同様の概略斜視図。
【図４】図３の分解斜視図。
【図５】ポケット形成部材における開放口領域の一部を拡大した分解斜視図。
【図６】モールを開放口領域に装着した状態を拡大した一部拡大斜視図。
【図７】ポケット形成部材とモールとの拡大分解断面図。
【図８】ポケット形成部材にモールが装着された状態を示す拡大断面図。
【図９】サイドパネルの正面図。
【図１０】（Ａ）は図９のＡ−Ａ線に沿う矢視断面図、（Ｂ）は図９の左側面図。
【図１１】側面部側のガイド手段の概略断面図。
【図１２】ポケット形成部材が最小収納幅位置にあるときの底面部側のガイド手段を示す概略断面図。
【図１３】ポケット形成部材が最大収納幅位置にあるときの底面部側のガイド手段を示す概略断面図。
【図１４】ポケット形成部材が最小収納幅にある時の説明図。
【図１５】ポケット形成部材の開放口側を引き出した初期段階を示す説明図。
【図１６】ポケット形成部材の解放口側を最大に引き出した状態を示す説明図。
【図１７】ポケット形成部材が最大収納幅位置に移動した状態を示す説明図。
【図１８】変形例を示す図５と同様の斜視図。
【図１９】変形例を示す図６と同様の斜視図。
【図２０】変形例を示す図７と同様の断面図。
【図２１】変形例を示す図８と同様の断面図。
【符号の説明】
１０  ケースファイル
１１  ケース本体
１２  ポケット形成部材
４９  軸部材
５０  筒軸
６０  外側背面部
６１  ポケット側面
６２  ポケット底面
６５  モール（定型性付与部材）
６５Ｃ  挟持部
６５Ｄ  フック部
６６  スロット穴
６６Ａ  突片
６７  変形代
６８  開放切欠部
６９  スロット穴
７０  絞り片
Ｐ  ポケット
【図１】
0004765197.tif 000002
【図２】
0004765197.tif 000003
【図３】
0004765197.tif 000004
【図４】
0004765197.tif 000005
【図５】
0004765197.tif 000006
【図６】
0004765197.tif 000007
【図７】
0004765197.tif 000008
【図８】
0004765197.tif 000009
【図９】
0004765197.tif 000010
【図１０】
0004765197.tif 000011
【図１１】
0004765197.tif 000012
【図１２】
0004765197.tif 000013
【図１３】
0004765197.tif 000014
【図１４】
0004765197.tif 000015
【図１５】
0004765197.tif 000016
【図１６】
0004765197.tif 000017
【図１７】
0004765197.tif 000018
【図１８】
0004765197.tif 000019
【図１９】
0004765197.tif 000020
【図２０】
0004765197.tif 000021
【図２１】
0004765197.tif 000022